(57)【要約】【課題】  デザインを使用者自ら容易に切り替えて使用することが可能な眼鏡を提供する。【解決手段】  本発明に係る眼鏡１００の前枠２は、互いに上下に分離可能とされた上部リム２１及び下部リム２２から構成されている。下部リムには、レンズ１が取り付けられると共に、左右の各端部において第１及び第２の切り込み部２２ａ、２２ｂが設けられている。上部リムは、可撓性を有する材料から形成され、第１の切り込み部に挿嵌される第１の挿入部２１ａと、第２の切り込み部に挿嵌される第２の挿入部２１ｂとが設けられている。第１の挿入部には、第１の磁石２１Ｍａが取り付けられ、第２の挿入部には、第１の磁石とは磁極の向きが前後方向に異なる第２の磁石２１Ｍｂが取り付けられている。第１及び第２の切り込み部近傍には、それぞれ第１及び第２の磁石と磁着するように磁極の向き及び位置が設定された磁石が取り付けられている。【選択図】  図１
2006171052.tif 000002
【特許請求の範囲】
【請求項１】
左右一対のレンズを固定するための前枠を具備する眼鏡であって、
前記前枠は、互いに上下に分離可能とされた上部リム及び下部リムから構成されており、
前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、
前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられていることを特徴とする眼鏡。
【発明の詳細な説明】
【技術分野】
【０００１】
本発明は、眼鏡に関し、特にデザインを使用者自ら容易に切り替えて使用することが可能な眼鏡に関する。
【背景技術】
【０００２】
眼鏡は、レンズ、前枠、テンプル、丁番等の各部材が連結されて構成されている。前枠には、内側に形成された溝にレンズを嵌め込んで固定するためのリムが設けられている。リムとしては、レンズの全縁を嵌め込むタイプ（フルリム）の他、装飾機能を重視してレンズの上半分或いは下半分の縁のみを嵌め込むタイプ（ハーフリム）が知られている。
【０００３】
ここで、近年の眼鏡に対するファッション性、デザイン性等の装飾機能重視の傾向により、一人の使用者が複数の眼鏡を所有し、ＴＰＯ（時（Time）、場所（Place）、場合（Occasion））に応じて各眼鏡を使い分けることも多く見られるようになってきている。
【発明の開示】
【発明が解決しようとする課題】
【０００４】
しかしながら、一人の使用者が、例えば、フルリムタイプの眼鏡とハーフリムタイプの眼鏡とをＴＰＯに応じて使い分けるには、各眼鏡をそれぞれ別個に購入する必要があるため費用が嵩む他、一日の間で各眼鏡を使い分けるような場合には、一方の眼鏡を携帯しなければならず不便であるという問題もある。これは、デザインの異なるフルリムタイプの眼鏡をＴＰＯに応じて使い分ける場合にも同様に存在する問題である。
【０００５】
本発明は、斯かる従来技術の問題点を解決するべくなされたものであり、デザインを使用者自ら容易に切り替えて使用することが可能な眼鏡を提供することを課題とする。
【課題を解決するための手段】
【０００６】
前記課題を解決するべく、本発明は、左右一対のレンズを固定するための前枠を具備する眼鏡であって、前記前枠は、互いに上下に分離可能とされた上部リム及び下部リムから構成されており、前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられていることを特徴とする眼鏡を提供するものである。
【０００７】
本発明によれば、前枠が、互いに上下に分離可能とされた上部リム及び下部リムから構成されており、上部リム及び下部リムの内いずれか一方の部材（例えば、下部リム）には、左右一対のレンズが取り付けられると共に、左右の各端部において上下方向に延びる第１の切り込み部及び第２の切り込み部がそれぞれ設けられる。そして、上部リム及び下部リムの内いずれか他方の部材（例えば、上部リム）には、第１の切り込み部に挿嵌される上下方向に延びる第１の挿入部と、第２の切り込み部に挿嵌される上下方向に延びる第２の挿入部とが設けられる。従って、第１の挿入部を第１の切り込み部に挿嵌し、第２の挿入部を第２の切り込み部に挿嵌することにより、本発明に係る眼鏡は、フルリムタイプの眼鏡として機能することになる。一方、第１の挿入部を第１の切り込み部から取り外し、第２の挿入部を第２の切り込み部から取り外せば、左右一対のレンズは一方の部材（例えば、下部リム）に取り付けられた状態となるため、ハーフリムタイプの眼鏡として機能することになる。換言すれば、他方の部材（例えば、上部リム）を一方の部材（例えば、下部リム）に対して脱着することにより、フルリムタイプの眼鏡とハーフリムタイプの眼鏡とを容易に切り替えて使用することが可能である。
【０００８】
また、眼鏡を構成するレンズが平面視で前方に向けて凸状に若干湾曲しているため、これに応じて眼鏡を構成する前枠も平面視で前方に向けて凸状に若干湾曲した形状とする必要がある。本発明においては、他方の部材（例えば、上部リム）が可撓性を有する材料から形成されるため、他方の部材を湾曲させる方向を容易に変更することが可能である。従って、他方の部材（例えば、上部リム）の前後面を反転させ、第１の挿入部を第２の切り込み部に挿嵌し、第２の挿入部を第１の切り込み部に挿嵌する場合においても、他方の部材（例えば、上部リム）を平面視で前方に向けて凸状に若干湾曲させることが可能である。換言すれば、他方の部材（例えば、上部リム）の前後面を反転させても一方の部材（例えば、下部リム）に取り付けることが可能である。よって、他方の部材（例えば、上部リム）の前後面に相異なるデザイン（色彩、模様）を施し、当該前後面を反転させて、一方の部材（例えば、下部リム）に取り付けることにより、デザインの異なるフルリムタイプの眼鏡に容易に切り替えて使用することが可能である。
【０００９】
好ましくは、前記第１の挿入部には、第１の磁石が取り付けられ、前記第２の挿入部には、第２の磁石が取り付けられ、前記第１の切り込み部近傍には、前記第１の磁石と磁着するように位置が設定された磁性体が取り付けられ、前記第２の切り込み部近傍には、前記第２の磁石と磁着するように位置が設定された磁性体が取り付けられる。
【００１０】
斯かる構成によれば、第１の挿入部を第１の切り込み部に挿嵌することにより、第１の挿入部に取り付けられた第１の磁石が第１の切り込み部近傍に取り付けられた磁性体と磁着し、第２の挿入部を第２の切り込み部に挿嵌することにより、第２の挿入部に取り付けられた第２の磁石が第２の切り込み部近傍に取り付けられた磁性体と磁着することになる。従って、他方の部材（例えば、上部リム）を一方の部材（例えば、下部リム）に取り付けた状態をより一層安定化させることが可能である。なお、前記構成における「磁性体が取り付けられ」るとは、非磁性体からなる一方の部材の一部に磁性体を取り付けることの他、一方の部材全体を磁性体から形成することをも含む概念である。
【００１１】
或いは、前記第１の挿入部には、第１の磁性体が取り付けられ、前記第２の挿入部には、第２の磁性体が取り付けられ、前記第１の切り込み部近傍には、前記第１の磁性体と磁着するように位置が設定された磁石が取り付けられ、前記第２の切り込み部近傍には、前記第２の磁性体と磁着するように位置が設定された磁石が取り付けられる構成を採用することも好ましい。
【００１２】
斯かる構成によれば、第１の挿入部を第１の切り込み部に挿嵌することにより、第１の挿入部に取り付けられた第１の磁性体が第１の切り込み部近傍に取り付けられた磁石と磁着し、第２の挿入部を第２の切り込み部に挿嵌することにより、第２の挿入部に取り付けられた第２の磁性体が第２の切り込み部近傍に取り付けられた磁石と磁着することになる。従って、他方の部材（例えば、上部リム）を一方の部材（例えば、下部リム）に取り付けた状態をより一層安定化させることが可能である。なお、前記構成における「磁性体が取り付けられ」るとは、非磁性体からなる他方の部材の一部に磁性体を取り付けることの他、他方の部材全体を磁性体から形成することをも含む概念である。
【００１３】
或いは、前記第１の挿入部には、第１の磁石が取り付けられ、前記第２の挿入部には、前記第１の磁石とは磁極の向きが前後方向に異なる第２の磁石が取り付けられ、前記第１の切り込み部近傍には、前記第１の磁石と磁着するように磁極の向き及び位置が設定された磁石が取り付けられ、前記第２の切り込み部近傍には、前記第２の磁石と磁着するように磁極の向き及び位置が設定された磁石が取り付けられる構成を採用することも好ましい。
【００１４】
斯かる構成によれば、第１の挿入部を第１の切り込み部に挿嵌することにより、第１の挿入部に取り付けられた第１の磁石が第１の切り込み部近傍に取り付けられた磁石と磁着し、第２の挿入部を第２の切り込み部に挿嵌することにより、第２の挿入部に取り付けられた第２の磁石が第２の切り込み部近傍に取り付けられた磁石と磁着することになる。従って、他方の部材（例えば、上部リム）を一方の部材（例えば、下部リム）に取り付けた状態をより一層安定化させることが可能である。
【００１５】
また、第１の磁石と第２の磁石の磁極の向きが前後方向に異なるように構成されているため、他方の部材（例えば、上部リム）の前後面を反転させ、第１の挿入部を第２の切り込み部に挿嵌し、第２の挿入部を第１の切り込み部に挿嵌する場合であっても、磁着機能を得ることが可能である。より具体的に説明すれば、第１の挿入部を第１の切り込み部に挿嵌し、第２の挿入部を第２の切り込み部に挿嵌する場合において、例えば、第１の磁石の前面側の磁極がＮ極で、第２の磁石の前面側の磁極がＳ極であるとすると、前記第１の磁石に磁着するように第１の切り込み部近傍に取り付けられた磁石の前面側の磁極はＮ極に設定され、前記第２の磁石に磁着するように第２の切り込み部近傍に取り付けられた磁石の前面側の磁極はＳ極に設定されることになる。ここで、他方の部材（例えば、上部リム）の前後面を反転させることにより、第１の磁石の前面側の磁極はＳ極となり、第２の磁石の前面側の磁極はＮ極となる。従って、第１の挿入部を第２の切り込み部に挿嵌する際にも、第１の磁石の前面側の磁極（Ｓ極）と第２の切り込み部近傍に取り付けられた磁石の前面側の磁極（Ｓ極）とが互いに同極となるため両磁石は互いに磁着し、第２の挿入部を第１の切り込み部に挿嵌する際にも、第２の磁石の前面側の磁極（Ｎ極）と第１の切り込み部近傍に取り付けられた磁石の前面側の磁極（Ｎ極）とが互いに同極となるため両磁石は磁着することになる。以上のように、本構成によれば、他方の部材（例えば、上部リム）の前後面に相異なるデザイン（色彩、模様）を施し、当該前後面を反転させて、一方の部材（例えば、下部リム）に取り付けることにより、デザインの異なるフルリムタイプの眼鏡に容易に切り替えて使用する場合においても、他方の部材（例えば、上部リム）を一方の部材（例えば、下部リム）に取り付けた状態をより一層安定化させることが可能である。
【００１６】
好ましくは、前記一方の部材には、前記左右一対のレンズの中間に位置する部位において上下方向に延びる第３の切り込み部が更に設けられ、前記他方の部材には、前記第３の切り込み部に挿嵌される上下方向に延びる第３の挿入部が更に設けられる。
【００１７】
斯かる構成によれば、第３の挿入部を第３の切り込み部に挿嵌することにより、他方の部材（例えば、上部リム）を一方の部材（例えば、下部リム）に取り付けた状態をより一層安定化させることが可能である。
【００１８】
好ましくは、前記第３の挿入部には、互いに磁極の向きが前後方向に異なる一対の磁石が取り付けられ、前記第３の切り込み部近傍には、前記第３の挿入部に取り付けられた一対の磁石のそれぞれと磁着するように磁極の向き及び位置が各々設定された一対の磁石が取り付けられる。
【００１９】
斯かる構成によれば、第３の挿入部を第３の切り込み部に挿嵌することにより、第３の挿入部に取り付けられた一対の磁石が第３の切り込み部近傍に取り付けられた一対の磁石と磁着することになるため、他方の部材（例えば、上部リム）を一方の部材（例えば、下部リム）に取り付けた状態をより一層安定化させることが可能である。また、第３の挿入部に取り付けられた一対の磁石の磁極の向きが互いに前後方向に異なるように構成されているため、他方の部材（例えば、上部リム）の前後面を反転させ、第１の挿入部を第２の切り込み部に挿嵌し、第２の挿入部を第１の切り込み部に挿嵌する場合であっても、第３の挿入部に取り付けられた一対の磁石が第３の切り込み部近傍に取り付けられた一対の磁石と磁着することになる。従って、他方の部材（例えば、上部リム）の前後面に相異なるデザイン（色彩、模様）を施し、当該前後面を反転させて、一方の部材（例えば、下部リム）に取り付けることにより、デザインの異なるフルリムタイプの眼鏡に容易に切り替えて使用する場合においても、他方の部材（例えば、上部リム）を一方の部材（例えば、下部リム）に取り付けた状態をより一層安定化させることが可能である。
【発明の効果】
【００２０】
本発明に係る眼鏡によれば、デザインを使用者自ら容易に切り替え（フルリムタイプの眼鏡からハーフリムタイプの眼鏡への切り替え、或いは、デザインの異なるフルリムタイプの眼鏡への切り替え）て使用することができるという優れた効果を奏する。
【発明を実施するための最良の形態】
【００２１】
以下、添付図面を参照しつつ、本発明の一実施形態について説明する。図１は、本発明の一実施形態に係る眼鏡の概略構成を示す正面図であり、図１（ａ）は上部リムを下部リムに取り付けた状態を、図１（ｂ）は上部リムを下部リムから取り外した状態を、図１（ｃ）は図１（ｂ）に示す上部リムの前後面を反転させた状態を示す。また、図２は、本発明の一実施形態に係る眼鏡の概略構成を示す平面図であり、図２（ａ）は全体構成図を、図２（ｂ）は図２（ａ）に示す部位Ａを拡大した図を、図２（ｃ）は図２（ａ）に示す部位Ｂを拡大した図を示す。
【００２２】
図１又は図２に示すように、本実施形態に係る眼鏡１００は、左右一対のレンズ１と、各レンズ１を固定するための前枠２とを具備している。この他、本実施形態に係る眼鏡１００も一般的な眼鏡と同様に、ヨロイ３、丁番４及びテンプル５を具備している。
【００２３】
前枠２は、互いに上下に分離可能とされた上部リム２１及び下部リム２２から構成されている。上部リム２１及び下部リム２２は、それぞれ左右対称の形状とされている。そして、上部リム２１及び下部リム２２の内いずれか一方の部材（本実施形態では下部リム２２）には、左右一対のレンズ１が取り付けられると共に、左右の各端部において上下方向に延びる第１の切り込み部２２ａ及び第２の切り込み部２２ｂがそれぞれ設けられている。当該一方の部材（下部リム２２）は、左右一対のレンズ１を取り付けるものであるため、形状保持性に優れる硬質材料（チタンやステンレス等の金属材料の他、セルロイドやアセテート等のプラスチック材料を用いてその厚みをある程度厚くすることにより硬質材料とすることが可能である）から形成することが好ましい。
【００２４】
上部リム２１及び下部リム２２の内いずれか他方の部材（本実施形態では上部リム２１）は可撓性を有する材料（チタンやステンレス等の金属材料の他、セルロイドやアセテート等のプラスチック材料を用いてその厚みを薄くすることにより可撓性を有する材料とすることが可能である）から形成され、当該他方の部材（上部リム２１）には、第１の切り込み部２２ａに挿嵌される上下方向に延びる第１の挿入部２１ａと、第２の切り込み部２２ｂに挿嵌される上下方向に延びる第２の挿入部２１ｂとが設けられている。
【００２５】
本実施形態に係る眼鏡１００は、以上に説明した構成を有するため、第１の挿入部２１ａを第１の切り込み部２２ａに挿嵌し、第２の挿入部２１ｂを第２の切り込み部２２ｂに挿嵌する（図１（ａ）に示す状態）ことにより、フルリムタイプの眼鏡として機能することになる。一方、第１の挿入部２１ａを第１の切り込み部２２ａから取り外し、第２の挿入部２１ｂを第２の切り込み部２２ｂから取り外せば（図１（ｂ）に示す状態）、左右一対のレンズ１は下部リム２２に取り付けられた状態となるため、ハーフリムタイプの眼鏡として機能することになる。換言すれば、上部リム２１を下部リム２２に対して脱着することにより、フルリムタイプの眼鏡とハーフリムタイプの眼鏡とを容易に切り替えて使用することが可能である。
【００２６】
また、眼鏡を構成するレンズが平面視（図２（ａ））で前方に向けて凸状に若干湾曲しているため、これに応じて眼鏡を構成する前枠２も平面視で前方に向けて凸状に若干湾曲した形状とする必要がある。本実施形態に係る眼鏡１００においては、上部リム２１が可撓性を有する材料から形成されるため、上部リム２１を湾曲させる方向を容易に変更することが可能である。従って、上部リム２１の前後面を反転させ（図１（ｃ））、第１の挿入部２１ａを第２の切り込み部２２ｂに挿嵌し、第２の挿入部２１ｂを第１の切り込み部２２ａに挿嵌する場合においても、上部リム２１を平面視で前方に向けて凸状に若干湾曲させることが可能である。換言すれば、上部リム２１の前後面を反転させても下部リム２２に取り付けることが可能である。よって、図１（ｃ）に示すように、上部リム２１の前後面に相異なるデザイン（色彩、模様）を施し、当該前後面を反転させて、下部リム２２に取り付けることにより、デザインの異なるフルリムタイプの眼鏡に容易に切り替えて使用することが可能である。
【００２７】
本実施形態では、好ましい構成として、第１の挿入部２１ａには、第１の磁石２１Ｍａが取り付けられ、第２の挿入部２１ｂには、第１の磁石２１Ｍａとは磁極の向きが前後方向に異なる第２の磁石２１Ｍｂが取り付けられている。より具体的に説明すれば、本実施形態では、図１（ｂ）又は図２に示す状態において、第１の磁石２１Ｍａの前面側の磁極がＮ極で、第２の磁石２１Ｍｂの前面側の磁極がＳ極（図１（ｂ）又は図２においてハッチングを施した部分）とされている。
【００２８】
そして、第１の切り込み部２２ａ近傍には、第１の磁石２１Ｍａと磁着するように磁極の向き及び位置が設定された磁石２２Ｍａが取り付けられ、第２の切り込み部２２ｂ近傍には、第２の磁石２１Ｍｂと磁着するように磁極の向き及び位置が設定された磁石２２Ｍｂが取り付けられている。より具体的に説明すれば、本実施形態では、図１（ｂ）又は図１（ｃ）に示すように、下部リム２２の第１の切り込み部２２ａを区画する壁面近傍の部位（磁石２２Ｍａの磁力が作用する範囲内で壁面から離間した部位）において、前面側の磁極がＮ極とされた磁石２２Ｍａが内設され、下部リム２２の第２の切り込み部２２ｂを区画する壁面近傍の部位（磁石２２Ｍｂの磁力が作用する範囲内で壁面から離間した部位）において、前面側の磁極がＳ極とされた磁石２２Ｍｂが内設されている。なお、本発明はこれに限るものではなく、切り込み部２２ａ（又は切り込み部２２ｂ）を区画する壁面から内部に向けてその一部が露出するように、或いは、切り込み部２２ａ（又は切り込み部２２ｂ）内にその全体が収納されるように、磁石２２Ｍａ（又は磁石２２Ｍｂ）を取り付ける構成を採用することも可能である。また、本実施形態では、第１の磁石２１Ｍａ（又は第２の磁石２１Ｍｂ）の後面側に磁石２２Ｍａ（又は磁石２２Ｍｂ）が取り付けられた構成について説明したが、本発明はこれに限るものではなく、第１の磁石２１Ｍａ（又は第２の磁石２１Ｍｂ）の前面側に磁石２２Ｍａ（又は磁石２２Ｍｂ）を取り付ける構成とすることも可能である。
【００２９】
本実施形態に係る眼鏡１００は、以上に説明した好ましい構成を有するため、第１の挿入部２１ａを第１の切り込み部２２ａに挿嵌することにより、第１の挿入部２１ａに取り付けられた第１の磁石２１Ｍａが第１の切り込み部２２ａ近傍に取り付けられた磁石２２Ｍａと磁着し、第２の挿入部２１ｂを第２の切り込み部２２ｂに挿嵌することにより、第２の挿入部２１ｂに取り付けられた第２の磁石２１Ｍｂが第２の切り込み部２２ｂ近傍に取り付けられた磁石２２Ｍｂと磁着することになる。従って、上部リム２１を下部リム２２に取り付けた状態をより一層安定化させることができる。
【００３０】
また、第１の磁石２１Ｍａと第２の磁石２１Ｍｂの磁極の向きが前後方向に異なるものとされているため、上部リム２１の前後面を反転させ、第１の挿入部２１ａを第２の切り込み部２２ｂに挿嵌し、第２の挿入部２１ｂを第１の切り込み部２２ａに挿嵌する場合であっても、磁着機能を得ることが可能である。より具体的に説明すれば、上部リム２１の前後面を反転させることにより、図１（ｃ）に示すように、第１の磁石２１Ｍａの前面側の磁極はＳ極（図１（ｃ）においてハッチングを施した部分）となり、第２の磁石２１Ｍｂの前面側の磁極はＮ極となる。従って、第１の挿入部２１ａを第２の切り込み部２２ｂに挿嵌する際にも、第１の磁石２１Ｍａの前面側の磁極（Ｓ極）と第２の切り込み部２２ｂ近傍に取り付けられた磁石２２Ｍｂの前面側の磁極（Ｓ極）とが互いに同極となるため両磁石は互いに磁着し、第２の挿入部２１ｂを第１の切り込み部２１ａに挿嵌する際にも、第２の磁石２１Ｍｂの前面側の磁極（Ｎ極）と第１の切り込み部２２ａ近傍に取り付けられた磁石の前面側の磁極（Ｎ極）とが互いに同極となるため両磁石は磁着することになる。従って、前述したように、上部リム２１の前後面に相異なるデザイン（色彩、模様）を施し（図１（ｃ））、当該前後面を反転させて、一方の部材（下部リム２２）に取り付けることにより、デザインの異なるフルリムタイプの眼鏡に切り替えて使用する場合においても磁着機能を損なうことなく、取り付けた状態をより一層安定化させることが可能である。
【００３１】
また、本実施形態では、好ましい構成として、下部リム２２には、左右一対のレンズ１の中間に位置する部位（ブリッジ部）において上下方向に延びる第３の切り込み部２２ｃが設けられ、上部リム２１には、第３の切り込み部２２ｃに挿嵌される上下方向に延びる第３の挿入部２１ｃが設けられている。なお、第３の切り込み部２２ｃを設ける位置は、上部リム２１を平面視で前方に向けて凸状に若干湾曲させて取り付ける関係上、第１及び第２の切り込み部２２ａ、２２ｃを設ける位置に対して平面視で前方の位置とされる。
【００３２】
本実施形態に係る眼鏡１００は、斯かる好ましい構成を有するため、第３の挿入部２１ｃを第３の切り込み部２２ｃに挿嵌することにより、上部リム２１を下部リム２２に取り付けた状態をより一層安定化させることが可能である。
【００３３】
なお、以上に説明した本実施形態に係る眼鏡１００においては、第３の挿入部２１ｃを第３の切り込み部２２ｃに単に挿嵌する構成について説明したが、本発明はこれに限るものではなく、前述した左右各端部の構成と同様に、ブリッジ部においても磁着機能を奏するように構成することが可能である。より具体的に説明すれば、図３に示すように、第３の挿入部２１ｃに、互いに磁極の向きが前後方向に異なる一対の磁石２１Ｍｃ、２１Ｍｃ’を左右対称の位置に取り付け、第３の切り込み部２２ｃ近傍には、第３の挿入部２１ｃに取り付けられた一対の磁石２１Ｍｃ、２１Ｍｃ’のそれぞれと磁着するように磁極の向き及び位置が各々設定された一対の磁石２２Ｍｃ、２２Ｍｃ’を取り付ける構成を採用することが可能である。
【００３４】
斯かる構成によれば、第３の挿入部２１ｃを第３の切り込み部２２ｃに挿嵌することにより、第３の挿入部２１ｃに取り付けられた一対の磁石２１Ｍｃ、２１Ｍｃ’が第３の切り込み部３３ｃ近傍に取り付けられた一対の磁石２２Ｍｃ、２２Ｍｃ’と磁着することになるため、上部リム２１を下部リム２２に取り付けた状態をより一層安定化させることが可能である。また、第３の挿入部２１ｃに取り付けられた一対の磁石２１Ｍｃ、２１Ｍｃ’の磁極の向き（図３においてハッチングを施した部分がＳ極）が互いに前後方向に異なるように構成されているため、前述のように、上部リム２１の前後面を反転させ、第１の挿入部２１ａを第２の切り込み部２２ｂに挿嵌し、第２の挿入部２１ｂを第１の切り込み部２２ａに挿嵌する場合であっても、第３の挿入部２１ｃに取り付けられた一対の磁石２１Ｍｃ’、２１Ｍｃが第３の切り込み部２２ｃ近傍に取り付けられた一対の磁石２２Ｍｃ、２２Ｍｃ’と磁着することになる。従って、上部リム２１の前後面を反転させて下部リム２２に取り付けることにより、デザインの異なるフルリムタイプの眼鏡に切り替えて使用する場合においても、上部リム２１を下部リム２２に取り付けた状態をより一層安定化させることが可能である。
【００３５】
また、本実施形態に係る眼鏡１００においては、上部リム２１と下部リム２２との取付状態を安定化させるために、第１及び第２の挿入部２１ａ、２１ｂにそれぞれ第１及び第２の磁石２１Ｍａ、２１Ｍｂが取り付けられ、第１及び第２の切り込み部２２ａ、２２ｂ近傍にそれぞれ磁石２２Ｍａ、２２Ｍｂが取り付けられた構成について説明した。しかしながら、本発明はこれに限るものではなく、単に、第１及び第２の挿入部２１ａ、２１ｂと、これらを挿嵌するための第１及び第２の切り込み部２２ａ、２２ｂとを設ける構成を採用することも可能である。ただし、斯かる構成を採用する場合には、眼鏡１００を使用している内に、使用者の意思に反して上部リム２１が下部リム２２から自然に外れることを防止するため、第１及び第２の挿入部２１ａ、２１ｂと第１及び第２の切り込み部２２ａ、２２ｂとの間に生じる隙間をできる限り狭める必要があり、これによりハーフリムタイプの眼鏡へ切り替えて使用しようとする際に、上部リム２１を下部リム２２からやや取り外し難くなってしまうという欠点を有する。
【００３６】
従って、前述した磁着機能を用いずに上記欠点を解消するには、例えば、図４に示すように、第２の挿入部２１ｂの所定部位に前後面に突出した突出部２１ｄを設ける一方、第２の切り込み部２２ｂの対応する部位前面に凹部２２ｄを設け、第２の挿入部２１ｂを第２の第２の切り込み部２２ｂに挿入した後、第２の挿入部２１ｂを前方に押しやり（上部リム２１は取付けに際して前方に向けて凸状に若干湾曲させるため、その復元力により第２の挿入部２１ｂは自然に前方に押しやられることになる）突出部２１ｄを凹部２２ｄに係合させるように構成すれば、第２の挿入部２１ｂと第２の切り込み部２２ｂとの隙間を確保しつつ、使用者の意思に反して上部リム２１が下部リム２２から自然に外れることを防止することも可能である。第１の挿入部２１ａ、第１の切り込み部２２ａについても同様である。
【００３７】
また、本実施形態に係る眼鏡１００においては、第１及び第２の挿入部２１ａ、２１ｂと、第１及び第２の切り込み部２２ａ、２２ｂ近傍との双方に磁石を取り付ける構成について説明したが、本発明はこれに限るものではなく、第１及び第２の挿入部２１ａ、２１ｂ、或いは、第１及び第２の切り込み部２２ａ、２２ｂ近傍のいずれか一方に取り付けられた磁石を磁性体（例えば、ステンレス材料）に置換する構成を採用することも可能である。すなわち、
（１）第１の挿入部２１ａに第１の磁石を取り付け、第２の挿入部２１ｂに第２の磁石を取り付ける一方、第１の切り込み部２２ａ近傍に前記第１の磁石と磁着するように位置が設定された磁性体を取り付け、第２の切り込み部２２ｂ近傍に前記第２の磁石と磁着するように位置が設定された磁性体を取り付ける構成（下部リム２２全体を磁性体から形成する場合も含む）か、或いは、
（２）第１の挿入部２１ａに第１の磁性体を取り付け、第２の挿入部２１ｂに第２の磁性体を取り付ける一方、第１の切り込み部２２ａ近傍に前記第１の磁性体と磁着するように位置が設定された磁石を取り付け、第２の切り込み部２２ｂ近傍に前記第２の磁性体と磁着するように位置が設定された磁石を取り付ける構成（上部リム２１全体を磁性体から形成する場合も含む）、
のいずれの構成を採用しても、磁着機能によって上部リム２１を下部リム２２に取り付けた状態をより一層安定化させることが可能である。
【００３８】
さらに、本実施形態に係る眼鏡１００における上部リム２１と下部リム２２との機能を反転した構成、すなわち、上部リムにレンズ１を取り付け、下部リムを上部リムに対して脱着可能に取り付ける構成を採用することも可能である。
【図面の簡単な説明】
【００３９】
【図１】図１は、本発明の一実施形態に係る眼鏡の概略構成を示す正面図であり、図１（ａ）は上部リムを下部リムに取り付けた状態を、図１（ｂ）は上部リムを下部リムから取り外した状態を、図１（ｃ）は図１（ｂ）に示す上部リムの前後面を反転させた状態を示す。
【図２】図２は、本発明の一実施形態に係る眼鏡の概略構成を示す平面図であり、図２（ａ）は全体構成図を、図２（ｂ）は図２（ａ）に示す部位Ａを拡大した図を、図２（ｃ）は図２（ａ）に示す部位Ｂを拡大した図を示す。
【図３】図３は、本発明の他の実施形態に係る眼鏡の部分的な概略構成を拡大して示す平面図である。
【図４】図４は、本発明の他の実施形態に係る眼鏡の部分的な概略構成を拡大して示す平面図である。
【符号の説明】
【００４０】
１・・・レンズ
２・・・前枠
２１・・・上部リム
２１ａ・・・第１の挿入部
２１ｂ・・・第２の挿入部
２１ｃ・・・第３の挿入部
２１Ｍａ・・・第１の磁石
２１Ｍｂ・・・第２の磁石
２２・・・下部リム
２２ａ・・・第１の切り込み部
２２ｂ・・・第２の切り込み部
２３ｃ・・・第３の切り込み部
２２Ｍａ・・・磁石
２２Ｍｂ・・・磁石
１００・・・眼鏡
【図１】
2006171052.tif 000003
【図２】
2006171052.tif 000004
【図３】
2006171052.tif 000005
【図４】
2006171052.tif 000006
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
左右一対のレンズを固定するための前枠を具備する眼鏡であって、
前記前枠は、互いに上下に分離可能とされた上部リム及び下部リムから構成されており、
前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、
前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられており、
前記第１の挿入部には、第１の磁石が取り付けられ、
前記第２の挿入部には、前記第１の磁石とは磁極の向きが前後方向に異なる第２の磁石が取り付けられており、
前記第１の切り込み部近傍には、前記第１の磁石と磁着するように磁極の向き及び位置が設定された磁石が取り付けられ、
前記第２の切り込み部近傍には、前記第２の磁石と磁着するように磁極の向き及び位置が設定された磁石が取り付けられていることを特徴とする眼鏡。
【請求項２】
前記一方の部材には、前記左右一対のレンズの中間に位置する部位において上下方向に延びる第３の切り込み部が更に設けられ、
前記他方の部材には、前記第３の切り込み部に挿嵌される上下方向に延びる第３の挿入部が更に設けられていることを特徴とする請求項１に記載の眼鏡。
【請求項３】
前記第３の挿入部には、互いに磁極の向きが前後方向に異なる一対の磁石が取り付けられており、
前記第３の切り込み部近傍には、前記第３の挿入部に取り付けられた一対の磁石のそれぞれと磁着するように磁極の向き及び位置が各々設定された一対の磁石が取り付けられていることを特徴とする請求項２に記載の眼鏡。
【手続補正２】
【補正対象書類名】明細書
【補正対象項目名】０００６
【補正方法】変更
【補正の内容】
【０００６】
前記課題を解決するべく、本発明は、左右一対のレンズを固定するための前枠を具備する眼鏡であって、前記前枠は、互いに上下に分離可能とされた上部リム及び下部リムから構成されており、前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられており、前記第１の挿入部には、第１の磁石が取り付けられ、前記第２の挿入部には、前記第１の磁石とは磁極の向きが前後方向に異なる第２の磁石が取り付けられており、前記第１の切り込み部近傍には、前記第１の磁石と磁着するように磁極の向き及び位置が設定された磁石が取り付けられ、前記第２の切り込み部近傍には、前記第２の磁石と磁着するように磁極の向き及び位置が設定された磁石が取り付けられていることを特徴とする眼鏡を提供するものである。
【手続補正３】
【補正対象書類名】明細書
【補正対象項目名】０００９
【補正方法】変更
【補正の内容】
【０００９】
また、第１の挿入部を第１の切り込み部に挿嵌することにより、第１の挿入部に取り付けられた第１の磁石が第１の切り込み部近傍に取り付けられた磁石と磁着し、第２の挿入部を第２の切り込み部に挿嵌することにより、第２の挿入部に取り付けられた第２の磁石が第２の切り込み部近傍に取り付けられた磁石と磁着することになる。従って、他方の部材（例えば、上部リム）を一方の部材（例えば、下部リム）に取り付けた状態をより一層安定化させることが可能である。
【手続補正４】
【補正対象書類名】明細書
【補正対象項目名】００１０
【補正方法】変更
【補正の内容】
【００１０】
さらに、第１の磁石と第２の磁石の磁極の向きが前後方向に異なるように構成されているため、他方の部材（例えば、上部リム）の前後面を反転させ、第１の挿入部を第２の切り込み部に挿嵌し、第２の挿入部を第１の切り込み部に挿嵌する場合であっても、磁着機能を得ることが可能である。より具体的に説明すれば、第１の挿入部を第１の切り込み部に挿嵌し、第２の挿入部を第２の切り込み部に挿嵌する場合において、例えば、第１の磁石の前面側の磁極がＮ極で、第２の磁石の前面側の磁極がＳ極であるとすると、前記第１の磁石に磁着するように第１の切り込み部近傍に取り付けられた磁石の前面側の磁極はＮ極に設定され、前記第２の磁石に磁着するように第２の切り込み部近傍に取り付けられた磁石の前面側の磁極はＳ極に設定されることになる。ここで、他方の部材（例えば、上部リム）の前後面を反転させることにより、第１の磁石の前面側の磁極はＳ極となり、第２の磁石の前面側の磁極はＮ極となる。従って、第１の挿入部を第２の切り込み部に挿嵌する際にも、第１の磁石の前面側の磁極（Ｓ極）と第２の切り込み部近傍に取り付けられた磁石の前面側の磁極（Ｓ極）とが互いに同極となるため両磁石は互いに磁着し、第２の挿入部を第１の切り込み部に挿嵌する際にも、第２の磁石の前面側の磁極（Ｎ極）と第１の切り込み部近傍に取り付けられた磁石の前面側の磁極（Ｎ極）とが互いに同極となるため両磁石は磁着することになる。
【手続補正５】
【補正対象書類名】明細書
【補正対象項目名】００１１
【補正方法】変更
【補正の内容】
【００１１】
以上のように、本構成によれば、他方の部材（例えば、上部リム）の前後面に相異なるデザイン（色彩、模様）を施し、当該前後面を反転させて、一方の部材（例えば、下部リム）に取り付けることにより、デザインの異なるフルリムタイプの眼鏡に容易に切り替えて使用する場合においても、他方の部材（例えば、上部リム）を一方の部材（例えば、下部リム）に取り付けた状態をより一層安定化させることが可能である。
【手続補正６】
【補正対象書類名】明細書
【補正対象項目名】００１２
【補正方法】変更
【補正の内容】
【００１２】
また、本発明は、前記課題を解決するため、左右一対のレンズを固定するための前枠を具備する眼鏡であって、前記前枠は、互いに上下に分離可能とされた上部リム及び下部リムから構成されており、前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられており、前記第１の挿入部には、第１の磁石が取り付けられ、前記第２の挿入部には、第２の磁石が取り付けられ、前記第１の切り込み部近傍には、前記第１の磁石と磁着するように位置が設定された磁性体が取り付けられ、前記第２の切り込み部近傍には、前記第２の磁石と磁着するように位置が設定された磁性体が取り付けられている眼鏡も提供する。
【手続補正７】
【補正対象書類名】明細書
【補正対象項目名】００１３
【補正方法】変更
【補正の内容】
【００１３】
斯かる構成によれば、第１の挿入部を第１の切り込み部に挿嵌することにより、第１の挿入部に取り付けられた第１の磁石が第１の切り込み部近傍に取り付けられた磁性体と磁着し、第２の挿入部を第２の切り込み部に挿嵌することにより、第２の挿入部に取り付けられた第２の磁石が第２の切り込み部近傍に取り付けられた磁性体と磁着することになる。従って、他方の部材（例えば、上部リム）を一方の部材（例えば、下部リム）に取り付けた状態をより一層安定化させることが可能である。なお、前記構成における「磁性体が取り付けられ」るとは、非磁性体からなる一方の部材の一部に磁性体を取り付けることの他、一方の部材全体を磁性体から形成することをも含む概念である。
【手続補正８】
【補正対象書類名】明細書
【補正対象項目名】００１４
【補正方法】変更
【補正の内容】
【００１４】
また、本発明は、前記課題を解決するため、左右一対のレンズを固定するための前枠を具備する眼鏡であって、前記前枠は、互いに上下に分離可能とされた上部リム及び下部リムから構成されており、前記上部リム及び前記下部リムの内いずれか一方の部材には、前記左右一対のレンズが取り付けられると共に、左右の各端部において上下方向に延びる第１の切り込み部及び第２の切り込み部がそれぞれ設けられており、前記上部リム及び前記下部リムの内いずれか他方の部材は可撓性を有する材料から形成され、当該他方の部材には、前記第１の切り込み部に挿嵌される上下方向に延びる第１の挿入部と、前記第２の切り込み部に挿嵌される上下方向に延びる第２の挿入部とが設けられており、前記第１の挿入部には、第１の磁性体が取り付けられ、前記第２の挿入部には、第２の磁性体が取り付けられ、前記第１の切り込み部近傍には、前記第１の磁性体と磁着するように位置が設定された磁石が取り付けられ、前記第２の切り込み部近傍には、前記第２の磁性体と磁着するように位置が設定された磁石が取り付けられている眼鏡も提供する。
【手続補正９】
【補正対象書類名】明細書
【補正対象項目名】００１５
【補正方法】変更
【補正の内容】
【００１５】
斯かる構成によれば、第１の挿入部を第１の切り込み部に挿嵌することにより、第１の挿入部に取り付けられた第１の磁性体が第１の切り込み部近傍に取り付けられた磁石と磁着し、第２の挿入部を第２の切り込み部に挿嵌することにより、第２の挿入部に取り付けられた第２の磁性体が第２の切り込み部近傍に取り付けられた磁石と磁着することになる。従って、他方の部材（例えば、上部リム）を一方の部材（例えば、下部リム）に取り付けた状態をより一層安定化させることが可能である。なお、前記構成における「磁性体が取り付けられ」るとは、非磁性体からなる他方の部材の一部に磁性体を取り付けることの他、他方の部材全体を磁性体から形成することをも含む概念である。
【手続補正１０】
【補正対象書類名】明細書
【補正対象項目名】００２７
【補正方法】変更
【補正の内容】
【００２７】
本実施形態では、第１の挿入部２１ａには、第１の磁石２１Ｍａが取り付けられ、第２の挿入部２１ｂには、第１の磁石２１Ｍａとは磁極の向きが前後方向に異なる第２の磁石２１Ｍｂが取り付けられている。より具体的に説明すれば、本実施形態では、図１（ｂ）又は図２に示す状態において、第１の磁石２１Ｍａの前面側の磁極がＮ極で、第２の磁石２１Ｍｂの前面側の磁極がＳ極（図１（ｂ）又は図２においてハッチングを施した部分）とされている。
【手続補正１１】
【補正対象書類名】明細書
【補正対象項目名】００２９
【補正方法】変更
【補正の内容】
【００２９】
本実施形態に係る眼鏡１００は、以上に説明した構成を有するため、第１の挿入部２１ａを第１の切り込み部２２ａに挿嵌することにより、第１の挿入部２１ａに取り付けられた第１の磁石２１Ｍａが第１の切り込み部２２ａ近傍に取り付けられた磁石２２Ｍａと磁着し、第２の挿入部２１ｂを第２の切り込み部２２ｂに挿嵌することにより、第２の挿入部２１ｂに取り付けられた第２の磁石２１Ｍｂが第２の切り込み部２２ｂ近傍に取り付けられた磁石２２Ｍｂと磁着することになる。従って、上部リム２１を下部リム２２に取り付けた状態をより一層安定化させることができる。
【手続補正１２】
【補正対象書類名】明細書
【補正対象項目名】００３５
【補正方法】変更
【補正の内容】
【００３５】
また、本実施形態に係る眼鏡１００においては、上部リム２１と下部リム２２との取付状態を安定化させるために、第１及び第２の挿入部２１ａ、２１ｂにそれぞれ第１及び第２の磁石２１Ｍａ、２１Ｍｂが取り付けられ、第１及び第２の切り込み部２２ａ、２２ｂ近傍にそれぞれ磁石２２Ｍａ、２２Ｍｂが取り付けられた構成について説明したが、単に、第１及び第２の挿入部２１ａ、２１ｂと、これらを挿嵌するための第１及び第２の切り込み部２２ａ、２２ｂとを設ける構成を採用することも可能である。ただし、斯かる構成を採用する場合には、眼鏡１００を使用している内に、使用者の意思に反して上部リム２１が下部リム２２から自然に外れることを防止するため、第１及び第２の挿入部２１ａ、２１ｂと第１及び第２の切り込み部２２ａ、２２ｂとの間に生じる隙間をできる限り狭める必要があり、これによりハーフリムタイプの眼鏡へ切り替えて使用しようとする際に、上部リム２１を下部リム２２からやや取り外し難くなってしまうという欠点を有する。